(57)【要約】      （修正有）【課題】外装カバーを脱装着自在とし、容易に他のカバーと交換可能とし、操作に違和感のない機器を提供する。【解決手段】携帯機器本体と、携帯機器本体を覆う携帯機器外装カバーとからなる携帯機器であって、前記携帯機器外装カバーは、一枚の展開図状シートから、折り曲げ加工により形成され、交換可能且つ脱装着自在であって、前記携帯機器本体に装着した状態において、前記携帯機器本体の操作が可能となることを特徴とする。【選択図】図３
2011064981.tif 000002
【特許請求の範囲】
【請求項１】
携帯機器本体と、携帯機器本体を覆う携帯機器外装カバーとからなる携帯機器であって、前記携帯機器外装カバーは、一枚の展開図状シートから、折り曲げ加工により形成され、交換可能且つ脱装着自在であって、前記携帯機器本体に装着した状態において、前記携帯機器本体の操作が可能となることを特徴とする携帯機器
【請求項２】
前記携帯機器外装カバーは、前記携帯機器本体の前面、背面、左側面、右側面、上面、及び底面について、前記各面の少なくとも一部に対応する、前面部、背面部、左側面部、右側面部、上面部、及び底面部を有することを特徴とする請求項１記載の携帯機器
【請求項３】
前記携帯機器外装カバーは、前記携帯機器本体の前面、背面、左側面、右側面、上面、及び底面の、前記各面の少なくとも一部を略一体的に覆うことを特徴とする請求項２記載の携帯機器
【請求項４】
前記携帯機器は、カメラであることを特徴とする請求項１乃至３いずれか記載の携帯機器
【請求項５】
前記携帯機器は、ビデオカメラであることを特徴とする請求項１乃至３いずれか記載の携帯機器
【請求項６】
前記携帯機器は、携帯オーディオ機器であることを特徴とする請求項１乃至３いずれか記載の携帯機器
【発明の詳細な説明】
【技術分野】
【０００１】
本発明は、交換可能且つ脱装着自在の外装カバー付き携帯機器に関する。
【背景技術】
【０００２】
カメラ等の携帯機器の外装を簡易に交換するものとして、カメラ前面の外装パネルを交換可能としたり、レンズ付きフィルムユニットの外箱を容易に取り外せるようにした技術が開示されている。
【特許文献１】特開２００３−２８００７５号公報
【特許文献２】特開平０５−２８１６６２号公報
【発明の概要】
【発明が解決しようとする課題】
【０００３】
カメラ等の携帯機器の外装筐体には、樹脂、金属等の素材が多く用いられ、擦り傷、油染み等がついた場合、これらは通常では交換部品として販売されているものではないため、ユーザーが簡単に購入できるものではない。
なおかつ、その脱装着には高度な技術が要求され、ユーザー自身で手軽に交換することができず、製造メーカーに修理に持ち込む等、面倒な手続が必要であり、その交換費用も低価格とはいえないものであった。そして、製造メーカーの保守部品保有期間が経過した場合には、交換・修理不可能となる場合もある等の問題があった。
【０００４】
携帯機器の損傷を防ぐため、専用ケース、汎用ケースが用意されているが、それらを使用した状態においては、携帯機器本体の操作が不可能となったり、ケースの凹凸により、操作が極めてし辛いこととなってしまう。
また、装着状態でも携帯機器が操作可能な携帯機器外装カバー（以下、「外装カバー」という。）として、シリコンカバー、ラバーカバー等が用意されているが、耐久性等の問題から、ある程度の厚みが必要であるため、装着状態と未装着状態ととでは、携帯機器の使用感が異なり、ユーザーに違和感が生じる等の問題があった。
そして、携帯機器は、その製品毎にデザインされ、操作ボタン・画面等の配置が異なるため、製造コストの面からも、製品毎に該カバーを用意するのは困難であるという問題もある。
【０００５】
従来は、携帯機器の外装色は、ほぼ一種類であったものの、昨今では製造メーカーも数色の外装色を用意しているが、他人と異なるものを持ちたいといった、多種多様なユーザーの要求に答えているとは言い難く、外装色・外装デザインに対するカスタマイズのニーズは総じて高くなっている。
【０００６】
それらカスタマイズの要求に対して、透明樹脂を用いた外装カバーと携帯機器本体の間に、ユーザーの好みの型紙を挟み込む形で実現しているが、外装の質感までを変えるに至ってはいない。
【０００７】
そこで、外装カバー装着を前提として携帯機器本体をデザインし、外装カバーを脱装着自在とし、容易に他の外装カバーと交換可能とすることによって、低コストで、様々な色、デザイン、素材の外装へと変更できるとともに、外装カバー装着状態においても、操作に違和感のない携帯機器を提供することを目的とする。
【課題を解決するための手段】
【０００８】
請求項１記載の携帯機器は、携帯機器本体と、携帯機器本体を覆う携帯機器外装カバーとからなる携帯機器であって、前記携帯機器外装カバーは、一枚の展開図状シートから、折り曲げ加工により形成され、交換可能且つ脱装着自在であって、前記携帯機器本体に装着した状態において、前記携帯機器本体の操作が可能となることを特徴とする。
【０００９】
前記の発明によれば、外装カバーが脱装着自在であり、他の外装カバーと交換可能となり、様々な色、デザイン、素材の外装カバーを使用できる携帯機器を提供することができる。
【００１０】
請求項２記載の携帯機器は、請求項１記載の携帯機器において、前記携帯機器外装カバーは、前記携帯機器本体の前面、背面、左側面、右側面、上面、及び底面について、前記各面の少なくとも一部に対応する、前面部、背面部、左側面部、右側面部、上面部、及び底面部を有することを特徴とする。
【００１１】
前記の発明によれば、携帯機器本体の六面すべてを覆う外装カバーを備えた携帯機器を提供することができる。
【００１２】
請求項３記載の携帯機器は、請求項２記載の携帯機器において、前記携帯機器外装カバーは、前記携帯機器本体の前面、背面、左側面、右側面、上面、及び底面の、前記各面の少なくとも一部を略一体的に覆うことを特徴とする。
【００１３】
前記の発明によれば、携帯機器本体の六面すべてを覆う外装カバーを備え、外装カバーと携帯機器本体とが略一体的となる携帯機器を提供することができる。
【００１４】
請求項４記載の携帯機器は、請求項１乃至３いずれか記載の携帯機器において、前記携帯機器は、カメラであることを特徴とする。
【００１５】
前記の発明によれば、外装カバーが脱装着自在であり、他の外装カバーと交換可能となり、様々な色、デザイン、素材の外装カバーを使用できるカメラを提供することができる。
【００１６】
請求項５記載の携帯機器は、請求項１乃至３いずれか記載の携帯機器において、前記携帯機器は、ビデオカメラであることを特徴とする。
【００１７】
前記の発明によれば、外装カバーが脱装着自在であり、他の外装カバーと交換可能となり、様々な色、デザイン、素材の外装カバーを使用できるビデオカメラを提供することができる。
【００１８】
請求項６記載の携帯機器は、請求項１乃至３いずれか記載の携帯機器において、前記携帯機器は、携帯オーディオ機器であることを特徴とする。
【００１９】
前記の発明によれば、外装カバーが脱装着自在であり、他の外装カバーと交換可能となり、様々な色、デザイン、素材の外装カバーを使用できる携帯オーディオ機器を提供することができる。
【発明の効果】
【００２０】
本発明により、脱装着自在であり、容易に交換可能な外装カバーを使用することによって、低コストで、様々な色、デザイン、素材の外装へと変更できる携帯機器を提供することができる。
そして、多種多様な外装カバーを交換部品として用意することにより、ユーザー自身で自分の好みに合った外装カバーに交換でき、ユーザーの嗜好に合わせた携帯機器を容易に提供することが可能となる。
また、企業がロゴ・キャラクター等をデザインした外装カバーを交換部品として販売・配布することにより、効果的な宣伝機能を発揮する等の優れた効果を得ることができる。
【図面の簡単な説明】
【００２１】
【図１】本発明の実施の形態に係る携帯機器本体（デジタルカメラ）の左前方から見た斜視図である。
【図２】本発明の実施の形態に係る携帯機器本体（デジタルカメラ）の右後方から見た斜視図である。
【図３】本発明の実施の形態に係る外装カバーとなる展開図状シート表面の展開図である。
【図４】本発明の実施の形態に係る外装カバーとなる展開図状シート裏面の展開図である。
【図５】本発明の実施の形態に係る外装カバーを携帯機器（デジタルカメラ）に装着する手順を示す展開図である。
【図６】本発明の実施の形態に係る外装カバーを携帯機器（デジタルカメラ）に装着する手順を示す展開図である。
【図７】本発明の実施の形態に係る外装カバーを携帯機器（デジタルカメラ）に装着する手順を示す展開図である。
【図８】本発明の実施の形態に係る外装カバーを携帯機器（デジタルカメラ）に装着する手順を示す展開図である。
【図９】本発明の実施の形態に係る外装カバーを携帯機器（デジタルカメラ）に装着する手順を示す展開図である。
【図１０】本発明の実施の形態に係る外装カバーを携帯機器（デジタルカメラ）に装着する手順を示す展開図である。
【図１１】本発明の実施の形態に係る外装カバー装着状態における携帯機器（デジタルカメラ）を左前方から見た斜視図である。
【図１２】本発明の実施の形態に係る外装カバー装着状態における携帯機器（デジタルカメラ）に右後方から見た斜視図である。
【発明を実施するための形態】
【００２２】
以下、図面を参照しつつ、本発明の実施の形態について説明する。なお、本発明の実施の形態については、携帯機器がデジタルカメラである場合について説明する。
なお、本発明の実施の形態の説明として、携帯機器をデジタルカメラとしているが、銀塩フィルムカメラ、ビデオカメラ、携帯オーディオ機器、携帯電話等の携帯機器であって、略六面体の形状となるものであれば、実施可能である。
【００２３】
図１及び図２は、本発明の実施の形態のデジタルカメラ本体の斜視図であり、図３は、外装カバーとなる展開図状シートを表から見た展開図であり、図４は、外装カバーとなる展開図状シートを裏から見た展開図である。
展開図状シートの素材は、紙製、樹脂製、金属製、布製、又はそれらの貼り合わせ素材等、折曲げ加工可能であれば使用できる。折り曲げ易さ、耐久性、装着状態での使用感等から、０．３ｍｍ〜０．８ｍｍ程度の厚さであることが望ましい。
【００２４】
外装カバー２０となる展開図状シート２１は、デジタルカメラ本体１の前面２、背面３、左側面４、右側面５、上面６、及び底面７の各面に対応する、前面部２２、背面部２３、左側面部２４、右側面部２５、上面部２６、及び底面部２７を有するとともに、左側面部糊代片３３、底面部糊代片３４、２つの左側面部舌片３５、２つの右側面部舌片３６、背面部差込み片３７を有する。
そして、底面部２７、前面部２２、上面部２６、背面部２３、底面部糊代片３４が、折曲げ線３８を介して、順次連設されており、底面部２７には左側面部舌片３５及び右側面部３６とが折曲げ線３８を介して隣設され、前面部２２には左側面部２４、右側面部２５とが折曲げ線３８を介して隣設され、右側面部２５には背面部差込み片３７が折曲げ線３８を介して隣設され、上面部２６には左側面部舌片３５及び右側面部舌片３６とが折曲げ線３８を介して隣設され、背面部２３には左側面部糊代片３３が折曲げ線３８を介して隣設されている。
【００２５】
なお、展開図状シート２１は、デジタルカメラ本体１の各面すべてに対応する各面部を有する必要はなく、前面部２２、背面部２３、左側面部２４、右側面部２５及び上面部２６を有し、底面部２７を有しないといった構成も可能である。
また、各面部、各糊代片、各舌片、各差込み片の配置は任意であり、一枚の展開図状シートから構成され、外装カバー２０を形成する限り、任意の配置が可能である。
さらに、展開図状シート２１が、デジタルカメラ本体１に装着され、止着されている限りにおいて、各舌片、各差込み片、各糊代片の一又は複数の省略は可能である。
【００２６】
展開図状シート２１には、レンズ開口部２８、ストロボ開口部２９、レリーズボタン開口部３０、液晶モニター開口部３１、各種操作ボタン開口部３２が、刳り抜かれているため、デジタルカメラ本体１に外装カバー２０装着状態においても、デジタルカメラ本体１のレンズ８、ストロボ９、レリーズボタン１０、液晶モニター１１、各種操作ボタン１２が、外装カバー２０に覆われることなく露出するために、外装カバー２０装着状態のまま、撮影等の各種操作が可能となる。
【００２７】
デジタルカメラ本体１の前面２、背面３、左側面４、右側面５、上面６、及び底面７の各面について、レンズ８等の突起物以外の部分につき、略平面で構成することにより、展開図状シート２１の前面部２２、背面部２３、左側面部２４、右側面部２５、上面部２６及び底面部２７の各面部を、デジタルカメラ本体１の各面にそれぞれ密着させることが可能となり、外装カバー２０はデジタルカメラ本体を略一体的に覆うことが可能である。
【００２８】
ここで、外装カバー２０となる展開図状シート２１をデジタルカメラ本体１に装着する手順について説明する。以下に記す装着手順は一例であり、他の手順においても装着は可能である。
まず、図５に示すように、デジタルカメラ本体１のレンズ８、ストロボ９を、展開図状シート２１のレンズ開口部２８、ストロボ開口部２９の位置にそれぞれ合わせて、展開図状シート裏面２１ｂの側から挿入し、デジタルカメラ本体１の前面２と展開図状シート裏面２１ｂの前面部２２とを密着させる。この状態を背面側から見た図が図６となる。
【００２９】
そして、図７に示すように、展開図状シート２１の前面部２２と上面部２６との境界の折り曲げ線３８を山折りし、レリーズボタン開口部３０の位置に合わせて、レリーズボタン１０を展開図状シート裏面２１ｂの側から挿入し、デジタルカメラ本体１の上面６と展開図状シート裏面２１ｂの上面部２６とを密着させる。
同様に、前面部２２と底面部２７との境界線の折り曲げ線３８を山折りし、底面部２７をデジタルカメラ本体１の底面７の方向に折り曲げる。この状態を前面側から見た図が図８となる。
【００３０】
次いで、展開図状シート２１の背面部２３と上面部２６の境界の折り曲げ線３８を山折りし、液晶モニター開口部３１、各種操作ボタン開口部３２の位置に合わせて、液晶モニター１１、各種操作ボタン１２をそれぞれ展開図状シート裏面２１ｂの側から挿入し、デジタルカメラ本体１の背面３と展開図状シート裏面２１ｂの背面部２３とを密着させる。
そして、背面部２３と底面部糊代片３４との境界の折り曲げ線３８を山折りし、底面部糊代片３４をデジタルカメラ本体１の底面７に密着させ、折り曲げてある底面部２７の裏面を底面部糊代片３４表面に固着させる。
なお、この固着方法は、糊着以外に、両面テープによる貼着、面ファスナー貼付による固着等も可能である。
【００３１】
次いで、上面部２６と左側面部舌片３５との境界の折り曲げ線３８を山折りし、上面部２６に隣設されている左側面部舌片３５を、デジタルカメラ本体１の左側面４に密着させる。同様に、底面部２７に隣接されている左側面部舌片３５も左側面４に密着させる。
そして、背面部２３と左側面部糊代片３３との境界の折り曲げ線３８を山折りし、背面部２３に隣接されている左側面部糊代片３３を、デジタルカメラ本体１の左側面４及び前記２つの左側面部舌片３５表面に密着させる。
さらに、前面部２２と左側面部２４との境界の折り曲げ線３８を山折りし、左側面部２４裏面を、左側面部糊代片３３表面に固着させる。
なお、その固着方法については、底面部糊代片３４と底面部２７裏面との固着方法と同様である。
【００３２】
次に、図９及び図１０に示すように、上面部２６と右側面部舌片３６との境界の折り曲げ線３７を山折りし、上面部２６に隣設されている右側面部舌片３６を、デジタルカメラ本体１の右側面５に密着させる。同様に、底面部２７に隣接されている右側面部舌片３６も右側面５に密着させる。
そして、前面部２２、右側面部２５、及び背面部差込み片３７のそれぞれの境界の２つの折り曲げ線３８を山折りし、右側面部２５裏面をデジタルカメラ本体１の右側面５及び前記２つの右側面部舌片３６表面に密着させるとともに、背面部差込み片３７を、デジタルカメラ本体１の背面３と背面部２３裏面との間に挿嵌する。
【００３３】
上記手順により、図１１及び図１２に示すように、外装カバー２０は、デジタルカメラ本体１のレンズ８等以外の六面すべてを略一体的に覆い、装着状態となる。前記の通り、装着状態において、各種操作ボタン１２等の操作が可能である。
脱着する際は、上記手順と逆の手順を辿ることにより、容易に外装カバー２０を取り外すことが可能となる。
なお、左側面部２４裏面と左側面部糊代片３３表面との固着、及び底面部糊代片３４と底面部２７裏面との固着については、前記のように、両面テープ、面ファスナー等を用いることにより、ワンタッチで剥離することも可能である。
【００３４】
そして、デジタルカメラ本体１に対して、素材、色調、模様等の異なる同一寸法の展開図状シート２１を複数用意しておけば、ユーザー自身で容易に外装カバー２０を交換でき、ユーザーの多種多様な要求に応えることができる。
【符号の説明】
【００３５】
１            デジタルカメラ本体
２            デジタルカメラ本体前面
３            デジタルカメラ本体背面
４            デジタルカメラ本体左側面
５            デジタルカメラ本体右側面
６            デジタルカメラ本体上面
７            デジタルカメラ本体底面
８            デジタルカメラ本体レンズ
９            デジタルカメラ本体ストロボ
１０            デジタルカメラ本体レリーズボタン
１１            デジタルカメラ本体液晶モニター
１２            デジタルカメラ本体各種操作ボタン
２０            外装カバー
２１            外装カバーとなる展開図状シート
２１ａ          外装カバーとなる展開図状シート表面
２１ｂ          外装カバーとなる展開図状シート裏面
２２            前面部
２３            背面部
２４            左側面部
２５            右側面部
２６            上面部
２７            底面部
２８            レンズ開口部
２９            ストロボ開口部
３０            レリーズボタン開口部
３１            液晶モニター開口部
３２            各種操作ボタン開口部
３３            左側面部糊代片
３４            底面部糊代片
３５            左側面部舌片
３６            右側面部舌片
３７            背面部差込み片
３８            折曲げ線
【図１】
2011064981.tif 000003
【図２】
2011064981.tif 000004
【図３】
2011064981.tif 000005
【図４】
2011064981.tif 000006
【図５】
2011064981.tif 000007
【図６】
2011064981.tif 000008
【図７】
2011064981.tif 000009
【図８】
2011064981.tif 000010
【図９】
2011064981.tif 000011
【図１０】
2011064981.tif 000012
【図１１】
2011064981.tif 000013
【図１２】
2011064981.tif 000014